(57)【特許請求の範囲】
【請求項１】
記録媒体にユーザデータを記録し、前記記録媒体から前記ユーザデータを再生する情報記録再生装置において、
前記記録媒体は、
前記ユーザデータが記録されるユーザデータ領域と、
前記ユーザデータ領域への前記ユーザデータの記録に応じて、前記ユーザデータを管理する管理情報が記録される第１の管理領域と、
前記管理情報のバックアップが記録される第２の管理領域と、
を有し、
前記情報記録再生装置は、
前記管理情報を生成する管理情報生成部と、
前記ユーザデータを前記ユーザデータ領域に記録し、前記管理情報を前記第１管理領域に記録し、前記管理情報のバックアップを前記第２の管理領域に記録する記録部と、
前記管理情報生成部と前記記録部とを制御する制御部と、を備え、
前記制御部は、前記第２の管理領域を前記ユーザデータ領域に設定し、前記第１の管理領域に記録される前記管理情報の容量の増加に応じて、前記第２の管理領域のサイズを増加させる、
情報記録再生装置。
【請求項２】
前記制御部は、前記第１の管理領域に記録された管理情報の容量と同じ容量を持つように前記第２の管理領域を設定する、請求項１に記載の情報記録再生装置。
【請求項３】
前記制御部は、前記記録媒体がファイナライズされるまでは前記管理情報を前記第１の管理領域に記録し、
前記記録媒体がファイナライズされる際に、前記第１管理領域に記録されている前記管理情報を前記第２管理領域にコピーする、請求項１記載の情報記録再生装置。
【請求項４】
前記第１の管理領域が前記管理情報としてのメタデータが記録されるメタデータ領域であり、前記第２の管理領域が前記メタデータ領域のミラー領域である、請求項１記載の情報記録再生装置。
【請求項５】
前記記録媒体は追記型のBlu-Rayディスクであり、前記制御部は前記ディスクにUDF（Universal Disk Format）2.6に準拠したファイルフォーマットで、前記管理情報及び前記ユーザデータを前記記録媒体に記録する請求項１記載の情報記録再生装置。
【請求項６】
前記第１の管理領域は前記記録媒体の内周側に配置され、前記第２の管理領域は前記記録媒体の外周側に配置される、請求項１記載の情報記録再生装置。
【請求項７】
前記制御部は、前記ユーザデータ領域に前記ユーザデータを記録する都度、このユーザデータに対応する前記管理情報に相当する容量分、前記ユーザデータ領域の前記ユーザデータ記録可能容量を順次減少させる、請求項１記載の情報記録再生装置。
【請求項８】
前記制御部は、前記ユーザデータ記録可能容量の減少分を前記第２の管理領域の容量の増加分とする、請求項７記載の情報記録再生装置。
【請求項９】
前記制御部は前記ユーザデータ領域にデジタル映像信号とメタデータを記録する都度、前記ユーザデータ記録可能容量を順次減少させる、請求項８記載の情報記録再生装置。
【請求項１０】
前記第２の管理領域は前記ユーザデータ領域のストリーム領域に設定される、請求項１記載の情報記録再生装置。
【請求項１１】
光ディスクにユーザデータの管理情報を記録する情報記録方法において、
前記光ディスクの管理領域に記憶された前記管理情報の容量に基づいて、前記管理領域のバックアップ領域のサイズを設定する、情報記録方法。
【請求項１２】
情報記録再生装置によって、ユーザデータが記録され、前記ユーザデータが再生される情報記録媒体において、
前記ユーザデータが記録されるユーザデータ領域と、
前記ユーザデータ領域への前記ユーザデータの記録に応じて、前記ユーザデータを管理する管理情報が記録される第１の管理領域と、
前記管理情報のバックアップが記録される第２の管理領域と、
を有し、
前記第２の管理領域を前記ユーザデータ領域に設定し、前記第１の管理領域に記録される前記管理情報の容量の増加に応じて、前記第２の管理領域のサイズを増加させる
情報記録媒体。
【発明の詳細な説明】
【技術分野】
【０００１】
本発明は、BD-Rなどの情報記録媒体、そして、情報記録媒体に情報の記録を行い、かつ記録した情報を再生する装置、並びに情報記録媒体に情報を記録する方法に関するものである。
【背景技術】
【０００２】
DVDやBD（Blu-Ray Disk）に代表される光ディスクにファイルを記録して管理するためのフォーマットとして、UDF（Universal Disk Format）が知られている。特開2005-243079号公報には、UDF2.5に準拠して記録媒体にファイルを記録する記録再生装置が提案されている。
【特許文献１】特開2005-243079号公報
【発明の開示】
【発明が解決しようとする課題】
【０００３】
BD-RE（Blue-ray Disc Rewritable）などの書き換え型の記録媒体を対象とするUDF2.5に準拠したファイルシステムは、管理情報を冗長化して記録媒体に記録し、そして管理情報を記録媒体の記録領域に集中して配置することを特徴としている。
【０００４】
管理情報は記録媒体のどの位置にどのようなファイルが存在するかを示す情報である。ユーザデータを記録媒体に追記して管理情報であるメタデータ（Meta Data）が更新されると、光ディスクドライブはメタデータ(MD)を第１の管理領域であるメタデータ領域に記録する。さらに、メタデータを冗長化するために、メタデータファイルを第２の管理領域であるメタデータミラー（Meta Data Mirror）領域にも記録する。メタデータミラー領域には、メタデータと同一のバックアップデータが記録される。
【０００５】
メタデータミラー領域はメタデータ領域から離れて記録媒体に設定されている。例えば、メタデータ領域を光ディスクの内周側に設定し、メタデータミラー領域を光ディスクの外周側に設定することが行なわれている。
【０００６】
したがって、メタデータ領域が損傷や劣化の影響を受けても、ドライブはメタデータミラー領域からメタデータを読み出して目的のファイルにアクセスすることができる。
【０００７】
管理情報の集中配置は、１つの管理情報を分割することなく、記録媒体に連続して記録することである。光ディスクドライブは管理情報を速やかに読み出せるので、目的とするファイルに短時間でアクセスできる。
【０００８】
さらに、BD-R（Blu-ray Disc Recordable）などのライトワンス型の記録媒体を対象としたUDF2.6に準拠したファイルフォーマットも提案されている。UDF2.6も UDF2.5と同様に、管理情報の冗長化を図っている。
【０００９】
UDF2.6は、ライトワンス型の記録媒体がホストなどの情報処理装置に対して書換型記録媒体のように振舞えるようにする、擬似書き換え方式（Pseudo Over Write（POW））を採用している。
【００１０】
例えば、メタデータ領域にメタデータが記録されたあとに、新たにメタデータを記録する際には、前のメタデータが記録された箇所に新たなメタデータを上書きするのではなく、前のメタデータが記録された第１の箇所に続く第２の箇所に新たなメタデータを交替記録する。そして、第１の箇所と第２箇所とのリンク情報が、Defect List管理領域というメタデータ領域とは別の領域に記録される。このリンク情報はメタデータミラー領域についても同様に設定される。
【００１１】
UDF2.6に従えば、既述のPOWによる方式を達成するためにも、光ディスクをフォーマットする際に、メタデータ領域を最大サイズ（例えば、450MB強）で確保し、同時にメタデータ領域に記録されているメタデータの実際の容量の如何に拘らず、メタデータの最大サイズと同じ容量のメタデータミラー領域をも確保しなければならない。
【００１２】
そうすると、管理情報を記録媒体に記録するために相当な記憶容量を消費することになり、ユーザデータを記録する領域の容量が少なくなるという問題がある。
【００１３】
そこで、本発明は、ユーザデータ領域の容量に悪影響を与えることなく、管理情報のバックアップ領域を記録媒体に確保できるようにした、記録再生装置を提供することを目的とするものである。
【課題を解決するための手段】
【００１４】
前記目的を達成するために、本発明に係る記録再生装置は、記憶媒体の管理領域に記憶された管理情報の実際の容量に基づいて、管理情報のバックアップ領域のサイズを設定することを特徴とするものである。
【発明の効果】
【００１５】
本発明は、ユーザデータ領域の容量に悪影響を与えることなく、管理情報のバックアップ領域を記録媒体に確保できるようにした、記録再生装置を提供することができる。
【発明を実施するための最良の形態】
【００１６】
図１に本発明に係る情報記録再生装置１００について説明する。この情報記録再生装置の好適な一例がビデオカメラである。情報記録再生装置は後述の記録媒体と共に情報記録再生システムを構成する。
【００１７】
情報記録再生装置１００は、レンズ１０１、撮像センサ（CCD）１０２、カメラ信号処理部１０３、圧縮伸張部１０４、制御マイコン部１０５、信号処理部１０６、ハードディスクドライブ（HDD）１０７、ディスクメディア（例えばBDやDVD）部１０８、操作スイッチ１０９、充電部１１０、バッテリ１１１、外部電源入力部１１２、液晶ディスプレイ（LCD）１１３、外部出力インターフェイス（Ｉ／Ｆ）１１４、そして、管理情報生成部１１５を備えている。
【００１８】
情報記録再生装置１００は、レンズ１０１を介して被写体の画像をCCD１０２で捉え、CCD１０２で捉えた画像は電気信号に変換され、カメラ信号処理部１０３で映像信号に変換される。
【００１９】
続いて、カメラ信号処理部１０３の出力による映像信号は制御マイコン１０５によって制御された信号圧縮伸張部１０４にて、デジタル映像信号に変換される。また外部入出力端子１１４に入力を切り替えることで、外部入力映像信号をデジタル映像信号に変換することも可能である。
【００２０】
デジタル映像信号に変換された信号は信号処理部１０６によってBDやDVD，あるいはHDDといった外部ストレージに対して記録される。このようにして、例えば、UDF２．６でフォーマットされたBD-Rなどの記録媒体にデータが記録される。
【００２１】
また、ユーザデータの追記などに応じてメタデータを更新する必要がある場合には、管理情報生成部１１５でメタデータが生成され、生成されたメタデータはメタデータ領域に記録される。
【００２２】
さらに、ユーザが操作スイッチ１０９を操作することで、制御マイコン部１０５を制御し、信号処理部１０６がBDやDVDに記録された映像信号の読出しを行い、HDDに対して記録を行うことで、メディア間のダビング処理を行うことが可能である。また、同様に、HDDに記録された映像信号に対して読出しを行い、BDやDVDに対して記録を行うことも可能である。
【００２３】
ストレージに記録された信号は、映像圧縮伸張部１０４で映像信号に伸張し、入出力端子に出力するとともに、液晶ディスプレイ１１３に対して表示することが可能である。ただし、表示部としては、液晶ディスプレイ１１３に限られず、例えば、有機ＥＬディスプレイであってもよい。
【００２４】
さらに、電源部として、外部電源入力部１１２を有し、電源などの外部からの電源供給を可能としている。この外部電源入力部１１２から電源が供給されることで、充電部１１０により、バッテリ１１１を充電することが可能である。これにより、外部電源入力部１１２より電源が供給されているときは、外部電源によって機器を動作させ、外部電源が供給されていないときには、バッテリ１１１からの電源供給によって機器を動作させることも可能である。ただし、充電に必要な機能の全てが装置に内蔵されている必要はなく、外部電源入力部の他に充電に必要な機能の一部または全てがあるものであってもよい。
【００２５】
次に、光ディスクであるBD-Rに、UDF2.6に準拠してデータが配置される際のデータ構造について説明する。
【００２６】
図２は、ファイナライズ前のBD-Rのデータ構造を示している。このデータ構造は、複数のSequential Recording Range(SRR)からなり、SRR毎に後述のUDF領域２０１などが設定されている。図２の左側ほどBD-Rの内周であることを示し、右側ほどBD-Rの外周であることを示している。図２の左端がアドレス０に対応する。
【００２７】
ファイナライズとは光ディスクに記録したデータを、他の機器で再生できるようにする記録情報の最終処理のことである。VIDEOモードで撮影したDVDをファイナライズすると、DVDソフト（映画など）と同じ記録形式になり、一般のDVDプレーヤで再生できるようになる。
【００２８】
追記型の光ディスクをファイナライズすると、それ以上書きこみができなくなるが、書換型の光ディスクでは、ファイナライズを解除することで、追加の書きこみができるようになる。
【００２９】
本発明におけるBD-Rのファイナライズは、BDライブラリ管理情報であるMovie Objectファイルを生成し、メタデータミラーを生成し、 そして、セッションクローズしてBD-Rを追記不可にすることからなる。
Movie Objectファイルは、BD規格で規定されているものであり、シーンの再生方法などの手順がコマンド列としてMovie Objectファイルに記録されている。例えば、ディスクがドライブに挿入されたら１シーン目を再生し、次に２シーン目を再生する、などである。
【００３０】
ドライブ１００がBD-Rに１シーン記録する毎にMovie Objectファイルを更新することも考えられるが、BD-Rのデータ消費量が増加することと、Movie Objectファイルを生成するには比較的長い時間が必要なため、ユーザ要求に応じてドライブがファイナライズ処理の一環として実行される。
【００３１】
Movie ObjectファイルがないとBD規格違反となるため、ファイナライズをしていないBD-Rを他のドライブに挿入すると、BD-Rが正しく再生されない可能性がある。
【００３２】
また、従来のDVD-Rは、ファイナライズをすることで、複数のSRRの集合であるセッションをクローズしてDVD-Rを追記禁止状態にしていた。BD-Rでは、ファイナライズ時にセッションクローズをする必要は無いが、ファイナライズ後に、意図せぬデータを別の機器から追加されてしまうのを避けるために、セッションクローズを行い、追記を禁止することとした。仮に、BD-Rにセッションクローズをすることなく追記可能な状態のままにしておくと、意図せぬデータの追記により、BD-RがBDカメラで再生することが保障できなくなってしまう。
【００３３】
映像記録再生装置１００の信号処理部１０６がBD-Rをフォーマットすると、BD-Rの内周側からUDF領域２０１、メタデータ(MD)領域２０２、ユーザデータ領域２０３がBD-Rに設定される。ユーザデータ領域２０３は、非ストリーム領域２０３Ａとストリーム領域２０３Ｂとからなる。
【００３４】
UDF領域２０１にはUDFデータがファイル形式で記録されている。UDFデータは、ディスクのVolume Structure（ボリューム構造）、即ち、メタデータがどの領域に記録されているかを管理するファイルである。
【００３５】
さらに、MD領域２０２にはメタデータがファイル形式で記録されている。メタデータは、ユーザデータ領域のユーザデータのファイル構造、例えば、ディレクトリを管理するファイルである。
【００３６】
図３はBD-Rに対してファイナライズを行なった後のBD-Rのデータ構造を示している。図３のデータ構造が図２のデータ構造と異なるのは、メタデータミラー(MDM)領域３０５が存在する点である。メタデータミラーは、メタデータのバックアップ情報であり、メタデータと同一である。
【００３７】
情報記録再生装置１００がBD-Rをファイナライズする際に、ユーザデータ領域２０３のストリーム領域の一部を割いてMDM領域３０５に割り当てる。MDM領域３０５にはメタデータミラーが記録されている。
【００３８】
情報記録再生装置１００はBD-Rをフォーマットする際、MD領域に最大サイズ（例えば、４５０MB強）を割り当てるが、情報記録再生装置は前ユーザデータ領域へのユーザデータの記録容量に応じてMDM領域３０５のサイズを変更する。
【００３９】
例えば、情報記録再生装置１００はBD-Rをファイナライズする際にMD領域２０２に記憶されているメタデータの容量に応じてMDM領域３０５のサイズを決定する。好適には、情報記録再生装置１００は、MD領域２０２に記憶されているメタデータの容量と同一の容量のサイズにMDM領域３０５を設定する。
【００４０】
図４は、ストリーム領域２０３Ｂに形成されるMDM領域のサイズを情報記録装置１００が決定する原理を示すものである。ユーザがBD-Rのユーザデータ領域２０３に１シーンを記録する毎に、情報記録装置１００は、１シーンのユーザデータに対応するメタデータサイズに相当する容量(斜線部)をストリーム領域２０３Ｂから差し引く。
【００４１】
図４（１）は第１のシーンがBD-Rに記録された場合でのストリーム領域２０３Ｂの容量を減少されることを示し、（２）は第２のシーンがBD-Rに記録された場合でのストリーム領域２０３Ｂの容量がさらに減少されることを示し、（３）は第３のシーンがBD-Rに記録された場合でのストリーム領域２０３Ｂの容量がさらに減少されることを示している。（４）は、BD-Rがファイナライズされる際でのストリーム領域２０３Ｂの減少分３０５Ａを示している。
【００４２】
MDM領域３０５の容量は、BD-Rがファイナライズされる際でのストリーム領域２０３Ｂの減少分３０５Ａに等しい。このMDM領域３０５の容量３０５ＡはMD領域２０２中のメタデータサイズ２０２Ａに等しくなる。このようにMDM領域３０５の容量３０５ＡはBD-Rへのユーザデータの記録量に応じて順次大きい値となるために、フォーマットの際に、MD領域２０２の全サイズと同一のサイズのMDM領域をストリーム領域２０３Ｂに設定しておく場合に比較して、情報記録再生装置はBD-Rのユーザデータ領域を有効に利用することができる。
【００４３】
次に、本実施形態における情報記録再生装置の動作を図５のフローチャートにしたがって説明する。まず、制御マイコン部１０５は、制御部として、信号処理部１０６を介して、記録媒体のユーザデータ領域２０３にデータを記録し（Ｓ４０１）、次にMDファイルを生成し（Ｓ４０２）、生成したMDファイルをMD領域２０２に記録する（Ｓ４０３）。
【００４４】
さらに制御マイコン部１０５は、記録媒体にデータを記録する過程で、図４において説明したように順次、すなわち、シーン記録毎にMDM領域を広げるために、ストリーム領域からMDM領域として割り当てる容量を差し引く処理を行う（Ｓ４０３Ａ）。
【００４５】
生成したMDファイルをMD領域２０２に記録した後、制御マイコン部１０５は、ファイナライズの処理を実行すべきか否かを判定し（Ｓ４０４）、ファイナライズ処理が必要ない場合（No）は、MD領域２０２に記録されたメタデータファイルをMDM領域にコピーせずに、データの記録処理（Ｓ４０１）にリターンする。このあとさらにデータの記録を継続する場合には、上記処理を繰り返す。
【００４６】
情報記録再生装置にユーザからの指示などがあった場合には、ファイナライズ処理の要否を判定し（Yes）、情報記録再生装置は、MDファイルをコピーするのに必要な容量を持ったMDM領域をユーザデータ領域に設定し（Ｓ４０５）、そして、設定されたMDM領域３０５にMDファイルのコピーであるMDMファイルを記録（Ｓ４０６）して図５に係るルーチンを終了する。
情報記録再生装置１００が記録媒体を再生する際には、MD領域ではなくMDM領域のメタデータミラーに先ずアクセスすることができる。
【００４７】
既述の実施形態では、管理領域としてのメタデータ領域に対してメタデータミラー領域を設けたが、UDF領域のミラー領域を記録媒体に設けてもよい。この際、ストリーム領域の外周側に記録媒体のフォーマット時にUDF領域のミラー領域が一定の容量を持って設定される。メタデータミラー領域はUDFミラー領域に続いてストリーム領域に連続して設定される。
【００４８】
また、既述のDefect List管理領域は、記録媒体のUDF領域よりも内周側の領域に設定される。
【００４９】
既述の実施形態について、情報記録再生装置が、ユーザが記録媒体にデータを記録する際などMDM領域を見積もるようにしてもよい。
【００５０】
ユーザデータ領域を非ストリーム領域２０３Ａとストリーム領域２０３Ｂを、別領域として分け、ストリーム領域を可変にできるようにすることにより、ストリーム領域２０３Ｂの空き容量の残量を簡易に計算でき、適切な容量をMDM領域として割り当てる際の精度を向上できる。即ち、MDM領域の容量の見積が実際に必要な容量より多い場合、或いは少ない場合には、情報記録再生装置が光ディスクにデータを記録する過程で、MDM領域として割り当てる容量を順次調整可能である。
【図面の簡単な説明】
【００５１】
【図１】本発明に係る情報記録再生装置のブロック構成図である。
【図２】BD-Rをファイナライズする前のデータ構造を示す図である。
【図３】BD-Rをファイナライズした後のデータ構造を示す図である。
【図４】ストリーム領域２０３Ｂに形成されるMDM領域のサイズを情報記録装置１００が決定する原理を示す図である。
【図５】情報記録再生装置の動作を説明するためのフローチャートである。
【符号の説明】
【００５２】
１００  情報記録再生装置、１０１  レンズ、１０２  撮像センサ、１０３  カメラ信号処理部、１０４  圧縮伸張部、１０５  制御マイコン部、１０６  信号処理部、１０７  ハードディスクドライブ、１０８  ディスクメディア部、１０９  操作スイッチ、１１０  充電部、１１１  バッテリ、１１２  外部電源入力部、１１３  液晶ディスプレイ、１１４  外部出力インターフェイス、１１５  管理情報生成部
【図１】
0004928381.tif 000002
【図２】
0004928381.tif 000003
【図３】
0004928381.tif 000004
【図４】
0004928381.tif 000005
【図５】
0004928381.tif 000006